(57)【要約】【課題】本発明は光学レンズ分野に関し、レンズモジュールを提供する。【解決手段】本発明では、レンズモジュールは、鏡筒と、鏡筒の物体側に設けられるレンズと、レンズの物体側からレンズを鏡筒に押圧保持する固定部材とを備え、固定部材は、囲んで収容空間を形成する内壁面を備え、収容空間には、鏡筒の物体側に近接する一端およびレンズが収容され、内壁面は、レンズに当接する当接部と、レンズと間隔をあけて設けられる非当接部とを備え、当接部とレンズとの間に接着剤が充填されている。本発明における実施形態に係るレンズモジュールは、信頼性が高い利点を有する。【選択図】図１
2020027284.tif 000002
【特許請求の範囲】
【請求項１】
レンズモジュールであって、
鏡筒と、前記鏡筒の物体側に設けられるレンズと、前記レンズの物体側から前記レンズを前記鏡筒に押圧保持する固定部材とを備え、
前記固定部材は、収容空間を囲む内壁面を備え、
前記収容空間には、前記鏡筒の物体側に近接する一端および前記レンズが収容され、
前記内壁面は、前記レンズに当接する当接部と、前記レンズと間隔をあけて設けられる非当接部とを備え、
前記当接部と前記レンズとの間に接着剤が充填されている、ことを特徴とするレンズモジュール。
【請求項２】
前記固定部材は、前記レンズの物体側から前記レンズを押圧保持するとともに光通過孔を有する押圧保持壁と、前記押圧保持壁から像側に向かって屈曲して延在する延在壁とを備え、
前記押圧保持壁は、物体側に近接する物体側面と、像側に近接する像側面と、前記物体側面と前記像側面との間に位置し、前記光通過孔を囲む孔壁面とを備え、
前記延在壁は、前記像側面に接し且つ前記収容空間に向かう側壁面を備え、
前記孔壁面、前記像側面および前記側壁面は共同して前記収容空間を囲む、ことを特徴とする請求項１に記載のレンズモジュール。
【請求項３】
前記側壁面は、物体側に近接し且つ前記物体側面に接する第１表面と、前記第１表面の像側に位置する第２表面とを備え、
前記当接部は、前記第１表面、前記像側面および前記孔壁面のうちの少なくとも１つを備える、ことを特徴とする請求項２に記載のレンズモジュール。
【請求項４】
前記非当接部は、少なくとも、前記第２表面を備える、ことを特徴とする請求項３に記載のレンズモジュール。
【請求項５】
前記固定部材は、ねじキャップであり、
前記側壁面は、前記第２表面に設けられる雌ネジをさらに備え、前記鏡筒の像側に近い外周縁には、雄ネジが設けられており、
前記鏡筒と前記側壁面とは、前記雄ネジと前記雌ネジとの嵌合により固定されている、ことを特徴とする請求項３に記載のレンズモジュール。
【請求項６】
前記押圧保持壁は、前記物体側面と前記孔壁面とを接続する弧状面をさらに備える、ことを特徴とする請求項２に記載のレンズモジュール。
【請求項７】
前記レンズの像側と前記鏡筒の物体側との間にシールリングが介設されている、ことを特徴とする請求項１に記載のレンズモジュール。
【発明の詳細な説明】
【技術分野】
【０００１】
本発明は光学レンズ分野に関し、特に車載システムに用いられるレンズモジュールに関する。
【背景技術】
【０００２】
近年、科学技術が絶えずに発展しているに伴い、レンズモジュールは小型化に向かって進化しており、電子機器（例えば、デジタルカメラ、タブレットパソコン、携帯電話など）にレンズモジュールが配置されていることに加え、人々が利用する交通手段である自動車にもレンズモジュールが配置されており、これは車載レンズと呼ばれる。車載レンズは、一般的に鏡筒やレンズなどの構成を有する。
【発明の概要】
【発明が解決しようとする課題】
【０００３】
本発明の発明者は、従来技術に少なくとも以下の問題が存在すると見出した。即ち、車載レンズが、使用中に、振動、摩擦、衝突などの外力作用を受けるため、車載レンズの信頼性の低下を招くことになる。従って、車載レンズの信頼性を如何に向上させるかは、解決されるべき緊急の問題となっている。
【課題を解決するための手段】
【０００４】
本発明は、信頼性が高いという利点を有するレンズモジュールを提供することを目的とする。
【０００５】
上記技術的問題を解決するために、本発明における実施形態は、レンズモジュールを提供し、当該レンズモジュールは、鏡筒と、鏡筒の物体側に設けられるレンズと、レンズの物体側からレンズを鏡筒に押圧保持する固定部材とを備え、固定部材は、収容空間を囲む内壁面を備え、収容空間には、鏡筒の物体側に近接する一端およびレンズが収容され、内壁面は、レンズに当接する当接部と、レンズと間隔をあけて設けられる非当接部とを備え、当接部とレンズとの間に接着剤が充填されている。
【０００６】
本発明における実施形態は、従来技術に比べ、固定部材でレンズの物体側からレンズを鏡筒に押圧保持することによって、レンズと鏡筒との固定を図るとともに、固定部材におけるレンズに当接する当接部とレンズとの間に接着剤が充填されており、接着剤でレンズと固定部材とを接着することができ、レンズと固定部材との固定がより強固になり、レンズモジュール全体の信頼性を向上させることができる。
【０００７】
また、固定部材は、レンズの物体側からレンズを押圧保持するとともに光通過孔を有する押圧保持壁と、押圧保持壁から像側に向かって屈曲して延在する延在壁とを備え、押圧保持壁は、物体側に近接する物体側面と、像側に近接する像側面と、物体側面と像側面との間に位置し、光通過孔を囲む孔壁面とを備え、延在壁は、像側面に接し且つ収容空間に向かう側壁面を備え、孔壁面、像側面および側壁面はともに収容空間を囲む。
【０００８】
また、側壁面は、物体側に近接し且つ物体側面に接する第１表面と、第１表面の像側にある第２表面とを備え、当接部は、第１表面、像側面および孔壁面のうちの少なくとも１つを備える。
【０００９】
また、非当接部は、少なくとも、第２表面を備える。
【００１０】
また、固定部材は、ねじキャップであり、側壁面は、第２表面に設けられる雌ネジをさらに備え、鏡筒の像側に近い外周縁には、雄ネジが設けられており、鏡筒と側壁面は、雄ネジと雌ネジとの嵌合により固定されている。
【００１１】
また、押圧保持壁は、物体側面と孔壁面とを接続する弧状面をさらに備える。物体側面が孔壁面に直接接して尖端が形成されることに比べ、物体側面と孔壁面との間に弧状面を設けることで、レンズモジュールの組み立て時に、尖端でレンズに引っ掻くことによるレンズの損傷を避けることができる。
【００１２】
また、レンズの像側と鏡筒の物体側との間に、シールリングが介設されている。これによって、鏡筒の外部の異物が収容空間に進入してから鏡筒内に進入することを避けることができるので、鏡筒内における光学素子の性能に影響することを回避できる。
【図面の簡単な説明】
【００１３】
【図１】本発明に係るレンズモジュールの剖面構造を示す模式図である。
【図２】本発明に係るレンズモジュールの固定部材の剖面構造を示す模式図である。
【発明を実施するための形態】
【００１４】
本発明の目的、技術案および利点をより明瞭にするために、以下、図面を参照しながら、本発明の各実施形態をより詳しく説明する。ただし、本発明の各実施形態では、本発明をより良く理解するために、多くの技術的詳細が提示されている。しかしながら、これらの技術的詳細と下記各実施形態に基づく種々の変更および修正がなくても、本発明の特許請求の範囲において保護を求める技術案を実現し得ることは、当業者に理解されるであろう。
【００１５】
本発明における実施形態はレンズモジュール１００に関し、図１〜２に示すように、レンズモジュール１００は、鏡筒１１と、鏡筒１１の物体側に設けられるレンズ１２と、レンズ１２の物体側からレンズ１２を鏡筒１１に押圧保持する固定部材１３とを備え、固定部材１３は、収容空間１３０を囲む内壁面１３１を備え、収容空間１３０には、鏡筒１１の物体側に近接する一端およびレンズ１２が収容されており、内壁面１３１は、レンズ１２に当接する当接部１３１１と、レンズ１２と間隔をあけて設けられる非当接部１３１２、当接部１３１１とレンズ１２との間に接着剤１４が充填されている。
【００１６】
本発明における実施形態は、従来技術に比べ、固定部材１３でレンズ１２の物体側からレンズ１２を鏡筒１１に押圧保持することによって、レンズ１２と鏡筒１１との固定を図るとともに、固定部材１３におけるレンズ１２に当接する当接部１３１１とレンズ１２との間に接着剤１４が充填されており、接着剤１４でレンズ１２を固定部材１３と接着することができ、レンズ１２と固定部材１３との固定がより強固になり、レンズモジュール１００全体の信頼性を向上させることができる。なお、レンズ１２と当接部１３１１との間に接着剤１４が充填されていることで、レンズモジュール１００におけるレンズ１２と鏡筒１１との間の密封性を向上させることができ、外部の異物（例えば、水、埃）が収容空間１３０に進入して、さらに鏡筒１１内に進入することが避けられて、鏡筒１１内に収容される光学素子の性能に影響を与えることを避けることができる。
【００１７】
以下、本実施形態に係るレンズモジュールの詳細について具体的に説明し、以下の内容は、理解のために提供する詳細に過ぎず、本技術案の実施に必要なものではない。
【００１８】
具体的に、固定部材１３は、レンズ１２の物体側からレンズ１２を押圧保持するとともに光通過孔１０を有する押圧保持壁１３２と、押圧保持壁１３２から像側に向かって屈曲して延在する延在壁１３３とを備え、押圧保持壁１３２は、物体側に近接する物体側面１３２１と、像側に近接する像側面１３２２と、物体側面１３２１と像側面１３２２との間に位置し且つ光通過孔１０を囲む孔壁面１３２３とを備え、延在壁１３３は、像側面１３２２に接し且つ収容空間１３０に向かう側壁面１３３１を備え、孔壁面１３２３、像側面１３２２および側壁面１３３１はともに収容空間１３０を囲む。固定部材１３が押圧保持壁１３２および延在壁１３３を備えて構成されることで、押圧保持壁１３２がレンズ１２の物体側からレンズ１２を鏡筒１１に押圧保持して、レンズ１２の物体側からレンズ１２を固定することに便利になり、また、孔壁面１３２３、像側面１３２２および側壁面１３３１がともに収容空間１３０を囲むことで、固定部材１３がレンズ１２と鏡筒１１を収容することに便利であり、固定部材１３がレンズ１２および鏡筒１１を固定することにさらに便利になる。
【００１９】
さらに、側壁面１３３１は、物体側に近接し且つ物体側面１３２１に接する第１表面１３３１ａと、第１表面１３３１ａの像側にある第２表面１３３１ｂとを備え、当接部１３１１は、第１表面１３３１ａと、像側面１３２２と、孔壁面１３２３とのうちの少なくとも１つを備える。理解できるように、本実施形態では、レンズ１２と固定部材１３との間の接着面積を増加させて、レンズ１２と固定部材１３との固定をより強固にするために、当接部１３１１は、第１表面１３３１ａ、像側面１３２２および孔壁面１３２３の３つを備えてもよい。言うまでもなく、本発明の他の置き換え可能な実施形態では、接着剤１４の使用量を節約し、コストを削減するために、当接部１３１１は、第１表面１３３１ａと、像側面１３２２と、孔壁面１３２３とのうちの２つのみ、ひいてはそのうちの１つのみを備えてもよい。具体的に、需要に応じて選択すればよく、限定されない。
【００２０】
さらに、非当接部１３１２は、少なくとも、第２表面１３３１ｂを備える。上述した内容からわかるように、当接部１３１１が、第１表面１３３１ａと、像側面１３２２と、孔壁面１３２３とのうちの２つのみ、又はそのうちの１つのみを備える場合、当接部１３１１に備えられない表面は、非当接部１３１２となる。なお、第２表面１３３１ｂは非当接部１３１２であり、当接部１３１１とレンズ１２との間に接着剤１４を充填するだけで、固定部材１３をレンズ１２と良く固定するとともに、固定部材１３とレンズ１２との間の密封性を保証することができるという前提で、第２表面１３３１ｂとレンズ１２との間に接着剤１４を充填しないようにすることは、接着剤１４の使用量をさらに節約し、コストを削除することができる。
【００２１】
好ましくは、固定部材１３は、ねじキャップであり、側壁面１３３１は、第２表面１３３１ｂに設けられる雌ネジをさらに備え、鏡筒１１の像側に近い外周縁には、雄ネジが設けられており、鏡筒１２と側壁面１３３１は、雄ネジと雌ネジとの嵌合により固定されている。理解できるように、本発明の置き換え可能な実施形態では、側壁面１３３１と鏡筒１１は、他の嵌合方式により、鏡筒と固定部材との固定を図ることもでき、例えば、鏡筒１１に突起を設け、側壁面１３３１に溝を設け、突起を溝に嵌め込む方式であってもよい。いずれの方式でも、側壁面１３３１を鏡筒１１に固定できるものであれば、全て本発明の保護範囲に含まれる。
【００２２】
なお、押圧保持壁１３２は、物体側面１３２１と孔壁面１３２３とを接続する弧状面１３２４をさらに備える。物体側面１３２１が孔壁面１３２３に直接接して尖端が形成されることに比べ、物体側面１３２１と孔壁面１３２３との間に弧状面１３２４を設けることで、レンズモジュール１００を組み立てるときに、尖端でレンズ１２に引っ掻くことによるレンズ１２の損傷を避けることができる。
【００２３】
なお、レンズ１２の像側と鏡筒１１の物体側との間に、シールリング１５が介設されている。シールリング１５は、鏡筒１１とレンズ１２との間に接着剤１４を充填することによりレンズモジュール１００の密封性を高めることに加え、鏡筒１１の外部の異物（例えば、水、埃など）が収容空間１３０に侵入してから鏡筒１１内に進入することをさらに避けることができるので、鏡筒１１内における光学素子の性能に影響することを回避できる。
【００２４】
本実施形態では、鏡筒１１には、溝１１０が開設されており、シールリング１５は溝１１０内に収容されている。溝の開設されない平面にシールリングを配置することに比べ、溝１１０で外部からの異物の一部を収容することが可能であり、外部の異物に対して遮断作用をより良く発揮して、異物が鏡筒１１内に進入することをより良く回避することができるので、鏡筒１１内に収容される他の光学素子の性能に影響を与えることがない。
【００２５】
なお、溝１１０は、レンズ１２の光軸ＯＯ’を周回してリング状をなす。溝１１０がリング状をなすことで、溝１１０とシールリング１５との嵌合が容易になり、外部の異物が鏡筒１１内に進入することを全方位に避けることができる。
【００２６】
また、本実施形態では、レンズモジュール１００は、鏡筒１１内に設けられるとともにレンズ１２の像側に位置するレンズ１６１、レンズ１６２、レンズ１６３、レンズ１６４、およびレンズ１６５をさらに備える。そして、レンズ１６１とレンズ１６２との間に、第１遮光シート１７１が設けられ、レンズ１６２とレンズ１６３との間に、第１ガスケット１８１および第２遮光シート１７２が設けられ、第１ガスケット１８１は、第２遮光シート１７２の物体側に位置し、レンズ１６４とレンズ１６５との間に、第３遮光シート１７３が設けられ、レンズ１６５の像側には、第２ガスケット１８２およびフィルタ１９が設けられ、第２ガスケット１８２はフィルタ１９の物体側に位置する。
【００２７】
上記各実施形態は、本発明を実現するための具体的な実施例であり、実際の応用では、それを形式的および詳細に様々な変更を行うことができ、本発明の精神および範囲から逸脱しないと当業者が理解できるであろう。
【図１】
2020027284.tif 000003
【図２】
2020027284.tif 000004